(57)【要約】【課題】同期した複数の時計又は１つの時計で多数の競技者の移動時間を計測する。【解決手段】競技者２ａ，２ｂ，…が携帯する無線タグ１ａ，１ｂ，…は、スタートラインＬｓを通過する時に時刻データを無線受信して記憶し、中間ラインＬｍを通過する時に時刻データを無線受信して記憶し、記憶した時刻データを時刻データ読出エリアＥ２ｍで無線送信し、ゴールラインＬｇを通過する時に時刻データを無線受信して記憶し、記憶した時刻データを時刻データ読出エリアＥ２ｇで無線送信し、データ処理装置２２は、各無線タグから読み出した時刻データを基に移動時間と順位を求める。【効果】同期した時計又は１つの時計により多数の競技者の移動時間を計測でき、不公平を生じない。【選択図】図１
2005283337.tif 000002
【特許請求の範囲】
【請求項１】
移動体に伴って移動し時刻データ送信エリアで時刻データを無線受信して記憶する無線タグと、前記移動体の移動経路に設置した時刻データ送信エリアに時刻データを無線送信する時刻データ送信手段と、前記無線タグに記憶された時刻データを読み出す時刻データ読出手段とを具備したことを特徴とする移動体計時装置。
【請求項２】
請求項１に記載の移動体計時装置において、前記無線タグは、３以上の時刻データを記憶し、前記時刻データ送信手段は、３カ所以上に設置されていることを特徴とする移動体計時装置。
【請求項３】
請求項１または請求項２に記載の移動体計時装置において、前記無線タグは、自己のＩＤデータを無線受信したときは記憶している時刻データを無線送信し、前記時刻データ読出手段は、時刻データ読出エリアに前記無線タグのＩＤデータを無線送信すると共に前記無線タグから時刻データを無線受信することを特徴とする移動体計時装置。
【請求項４】
請求項１または請求項２に記載の移動体計時装置において、前記無線タグは、前記時刻データ送信エリアで時刻データを無線受信したときはその後の所定期間にＩＤデータと記憶している時刻データとを繰り返し無線送信し、前記時刻データ読出手段は、前記時刻データ送信エリアの後方に設置した時刻データ読出エリアで前記無線タグからＩＤデータと時刻データとを無線受信することを特徴とする移動体計時装置。
【請求項５】
請求項１または請求項２に記載の移動体計時装置において、前記無線タグからＩＤデータを無線受信すると前記時刻データ送信エリアの前方に設置した指令データ送信エリアに指令データを無線送信する指令データ送信手段を具備し、前記無線タグは、ＩＤデータを繰り返し無線送信し、その後の所定期間を第１受信期間とし、前記第１受信期間内に指令データを受信したときはその後の所定期間を第２受信期間とし、前記第２受信期間内に時刻データを受信したときはその時刻データを記憶し、前記第１受信期間内に自己のＩＤデータを無線受信したときは記憶している時刻データを無線送信し、前記時刻データ読出手段は、時刻データ読出エリアに前記無線タグのＩＤデータを無線送信すると共に前記無線タグから時刻データを無線受信することを特徴とする移動体計時装置。
【請求項６】
請求項３から請求項５のいずれかに記載の移動体計時装置において、前記無線タグの無線受信周波数と無線送信周波数とが異なる周波数であることを特徴とする移動体計時装置。
【請求項７】
請求項１から請求項６のいずれかに記載の移動体計時装置において、前記時刻データ読出手段を介して複数の無線タグから読み出された時刻データを基に各無線タグの移動時間および順位の少なくとも一方を求めるデータ処理手段を具備したことを特徴とする移動体計時装置。
【請求項８】
請求項１から請求項７のいずれかに記載の移動体計時装置において、前記無線タグは、時刻データを受信した時にその旨を報知することを特徴とする移動体計時装置。
【請求項９】
請求項１から請求項８のいずれかに記載の移動体計時装置において、漏洩アンテナを用いて前記時刻データ送信エリアを設置したことを特徴とする移動体計時装置。
【請求項１０】
請求項１から請求項９のいずれかに記載の移動体計時装置において、１つの時手段で発生した時刻データを前記複数の時刻データ送信手段へ回線を介して伝達することを特徴とする移動体計時装置。
【請求項１１】
請求項１から請求項１０のいずれかに記載の移動体計時装置において、前記時刻データの計時単位が、１／１０００［秒］〜１［秒］であることを特徴とする移動体計時装置。
【請求項１２】
請求項１から請求項１１のいずれかに記載の移動体計時装置において、前記時刻データ送信手段の無線送信電力を調整可能にしたことを特徴とする移動体計時装置。
【請求項１３】
請求項１から請求項１２のいずれかに記載の移動体計時装置において、前記移動体の移動経路の最初の地点に設置された前記時刻データ送信手段は、移動スタートの指示が出された時刻を含む時刻データを無線送信することを特徴とする移動体計時装置。
【発明の詳細な説明】
【技術分野】
【０００１】
本発明は、移動体計時装置に関し、さらに詳しくは、同期した複数の時計または１つの時計で多数のマラソン走者の移動時間を計測できるようにした移動体計時装置に関する。
【背景技術】
【０００２】
従来、マラソン走者に時間計測装置をそれぞれ携帯させておき、スタート地点で電波指令により時間計測を始動させ、ゴール地点で電波指令により時間計測を停止させ、その後、時間計測装置から時間計測データを電波送信させる競技用自動計時システムが提案されている（例えば、特許文献１参照。）。
【特許文献１】特開平５−２７０５３号公報
【発明の開示】
【発明が解決しようとする課題】
【０００３】
上記競技用自動計時装置では、各マラソン走者が携帯する時間計測装置が備えた時計（計時カウンタ）でそれぞれ独立に時間を計測している。
しかし、各時計の同期が保証されていないため、各時間計測データにばらつきを生じる可能性があり、マラソン走者の間に不公平を生じかねない問題点がある。
そこで、本発明の目的は、同期した複数の時計または１つの時計で多数のマラソン走者の移動時間を計測できるようにした移動体計時装置を提供することにある。
【課題を解決するための手段】
【０００４】
第１の観点では、本発明は、移動体に伴って移動し時刻データ送信エリアで時刻データを無線受信して記憶する無線タグと、前記移動体の移動経路に設置した時刻データ送信エリアに時刻データを無線送信する時刻データ送信手段と、前記無線タグに記憶された時刻データを読み出す時刻データ読出手段とを具備したことを特徴とする移動体計時装置を提供する。
上記第１の観点による移動体計時装置では、マラソン走者に無線タグをそれぞれ携帯させておき、同期した時計または１つの時計で得た時刻をスタート地点の時刻データ送信エリアで電波によりスタート時刻データとして無線タグに記憶させ、同期した時計または１つの時計で得た時刻をゴール地点の時刻データ送信エリアで電波によりゴール時刻データとして無線タグに記憶させ、その後、無線タグからスタート時刻データとゴール時刻データを読み出す。これにより、同期した時計または１つの時計により多数のマラソン走者の移動時間を計測できるようになり、マラソン走者の間に不公平を生じることがない。
【０００５】
第２の観点では、本発明は、上記構成の移動体計時装置において、前記無線タグは、３以上の時刻データを記憶し、前記時刻データ送信手段は、３カ所以上に設置されていることを特徴とする移動体計時装置を提供する。
上記第２の観点による移動体計時装置では、スタート地点とゴール地点とに加えて中間地点にも時刻データ送信エリアを設けて中間地点時刻データを無線タグに記憶させることが出来るため、区間移動時間も計測できるようになる。
【０００６】
第３の観点では、本発明は、上記構成の移動体計時装置において、前記無線タグは、自己のＩＤデータを無線受信したときは記憶している時刻データを無線送信し、前記時刻データ読出手段は、時刻データ読出エリアに前記無線タグのＩＤデータを無線送信すると共に前記無線タグから時刻データを無線受信することを特徴とする移動体計時装置を提供する。
上記第３の観点による移動体計時装置では、時刻データ読出手段がＩＤデータを無線送信すると、当該ＩＤデータに対応する無線タグが、記憶している時刻データを無線送信してくるので、それを無線受信することで時刻データを読み取ることが出来る。
【０００７】
第４の観点では、本発明は、上記構成の移動体計時装置において、前記無線タグは、前記時刻データ送信エリアで時刻データを無線受信したときはその後の所定期間にＩＤデータと記憶している時刻データとを繰り返し無線送信し、前記時刻データ読出手段は、前記時刻データ送信エリアの後方に設置した時刻データ読出エリアで前記無線タグからＩＤデータと時刻データとを無線受信することを特徴とする移動体計時装置を提供する。
上記第４の観点による移動体計時装置では、無線タグが、時刻データを無線受信すると、記憶している時刻データを自動的に所定期間無線送信するので、それを無線受信することで時刻データを読み取ることが出来る。
【０００８】
第５の観点では、本発明は、請求項１または請求項２上記構成の移動体計時装置において、前記無線タグからＩＤデータを無線受信すると前記時刻データ送信エリアの前方に設置した指令データ送信エリアに指令データを無線送信する指令データ送信手段を具備し、前記無線タグは、ＩＤデータを繰り返し無線送信し、その後の所定期間を第１受信期間とし、前記第１受信期間内に指令データを受信したときはその後の所定期間を第２受信期間とし、前記第２受信期間内に時刻データを受信したときはその時刻データを記憶し、前記第１受信期間内に自己のＩＤデータを無線受信したときは記憶している時刻データを無線送信し、前記時刻データ読出手段は、時刻データ読出エリアに前記無線タグのＩＤデータを無線送信すると共に前記無線タグから時刻データを無線受信することを特徴とする移動体計時装置を提供する。
上記第５の観点による移動体計時装置では、時刻データ送信エリアの前方に指令データ送信エリアを設けておき、指令データ送信エリアに入った無線タグから無線送信されたＩＤデータを無線受信した時に指令データを無線送信してやると、それを無線受信した無線タグが時刻データ送信エリアに入った時に時刻データを無線受信して記憶する。そして、時刻データ読出手段がＩＤデータを無線送信すると、当該ＩＤデータに対応する無線タグが、記憶している時刻データを無線送信してくるので、それを無線受信することで時刻データを読み取ることが出来る。これによれば、無線タグが、無線送信動作と無線受信動作とを連続的に行わず、間欠的に繰り返すので、電力消費が少なくなり、無線タグの電池寿命を延ばすことが出来る。
【０００９】
第６の観点では、本発明は、上記構成の移動体計時装置において、前記無線タグの無線受信周波数と無線送信周波数とが異なる周波数であることを特徴とする移動体計時装置を提供する。
上記第６の観点による移動体計時装置では、複数の無線タグが近接して存在している場合に、他の無線タグから無線送信されたデータと時刻データ読出手段から無線送信されたデータの混信を防止することが出来る。
【００１０】
第７の観点では、本発明は、上記構成の移動体計時装置において、前記時刻データ読出手段を介して複数の無線タグから読み出された時刻データを基に各無線タグの移動時間および順位の少なくとも一方を求めるデータ処理手段を具備したことを特徴とする移動体計時装置を提供する。
上記第７の観点による移動体計時装置では、多数の無線タグから読み取った時刻データを基にして、各競技者の移動時間や順位を求めることが出来る。
【００１１】
第８の観点では、本発明は、上記構成の移動体計時装置において、前記無線タグは、時刻データを受信した時にその旨を報知することを特徴とする移動体計時装置を提供する。
上記第８の観点による移動体計時装置では、無線タグが時刻データを無線受信すると、聴覚的あるいは視覚的に報知するので、競技者が受信を確認できる。
【００１２】
第９の観点では、本発明は、上記構成の移動体計時装置において、漏洩アンテナを用いて前記時刻データ送信エリアを設置したことを特徴とする移動体計時装置を提供する。
上記第９の観点による移動体計時装置では、漏洩アンテナを用いることにより、移動体の通過方向に狭い幅の時刻データ送信エリアを設置できる。
【００１３】
第１０の観点では、本発明は、上記構成の移動体計時装置において、１つの時手段で発生した時刻データを前記複数の時刻データ送信手段へ回線を介して伝達することを特徴とする移動体計時装置を提供する。
例えばスタート時刻を決める時計とゴール時刻データを決める時計に誤差があると、正しい移動時間を求めることが出来ない。
そこで、上記第１０の観点による移動体計時装置では、１つの時計で発生した時刻を複数の時刻データ送信エリアに伝達することとした。これにより、正しい移動時間を求めることが出来る。
【００１４】
第１１の観点では、本発明は、上記構成の移動体計時装置において、前記時刻データの計時単位が、１／１０００［秒］〜１［秒］であることを特徴とする移動体計時装置を提供する。
上記第１１の観点による移動体計時装置では、短距離〜長距離の移動時間の計測に対応できる。
【００１５】
第１２の観点では、本発明は、上記構成の移動体計時装置において、前記時刻データ送信手段の無線送信電力を調整可能にしたことを特徴とする移動体計時装置を提供する。
上記第１２の観点による移動体計時装置では、時刻データ送信手段の無線送信電力を調整することにより、時刻データ送信エリアの広さを調整できる。
【００１６】
第１３の観点では、本発明は、上記構成の移動体計時装置において、前記移動体の移動経路の最初の地点に設置された前記時刻データ送信手段は、移動スタートの指示が出された時刻を含む時刻データを無線送信することを特徴とする移動体計時装置を提供する。
陸上競技では、各競技者が実際にスタートした時刻を起点とするのではなく、スタートの合図が出された時刻を起点として競技時間を決めている。
そこで、上記第１３の観点による移動体計時装置では、スタート地点の時刻データ送信手段からは、スタートの合図が出された時刻を含む時刻データを無線送信する。これにより、計時の起点を、各競技者が実際にスタートした時刻ではなく、スタートの合図が出された時刻とすることが出来る。
【発明の効果】
【００１７】
本発明の移動体計時装置によれば、同期した時計または１つの時計により多数の移動体の移動時間を計測できるようになり、各移動体の移動時間の間に誤差を生じることがなくなる。
【発明を実施するための最良の形態】
【００１８】
以下、図に示す実施の形態により本発明をさらに詳細に説明する。なお、これにより本発明が限定されるものではない。
【実施例１】
【００１９】
図１は、実施例１に係る移動体計時装置１００を示す説明図である。
この移動体計時装置１００は、走路Ｗを走る競技者２ａ，２ｂ，…がスタートラインＬｓを通過してから中間ラインＬｍに到達するまでの移動時間およびゴールラインＬｇに到達するまでの移動時間を計測するための装置である。
競技者２ａ，２ｂ，…は、マラソン走者を想定しているが、短距離／中距離走者や競輪選手や競馬選手などでもよい。
【００２０】
移動体計時装置１００は、競技者２ａ，２ｂ，…がそれぞれ携帯する無線タグ１ａ，１ｂ，…と、スタートラインＬｓに沿って敷設されたアンテナ４ｓと、アンテナ４ｓから下りデータ（図２の３Ｄ）を無線送信する時刻データ送信機３ｓと、中間ラインＬｍに沿って敷設されたアンテナ４ｍと、アンテナ４ｍから下りデータ（３Ｄ）を無線送信する時刻データ送信機３ｍと、ゴールラインＬｇに沿って敷設されたアンテナ４ｇと、アンテナ４ｇから下りデータ（３Ｄ）を無線送信する時刻データ送信機３ｇと、中間ラインＬｍより後方に設定した時刻データ読出エリアＥ２ｍに下りデータ（図２の５Ｄ）を無線送信すると共に無線タグ１ａ，１ｂ，…から無線送信された上りデータ（図２の１Ｄ）をアンテナ６ｍによって無線受信するＩＤデータ送受信・時刻データ受信機５ｍと、ゴールラインＬｇより後方に設定した時刻データ読出エリアＥ２ｇに下りデータ（５Ｄ）を無線送信すると共に無線タグ１ａ，１ｂ，…から無線送信された上りデータ（１Ｄ）をアンテナ６ｇによって無線受信するＩＤデータ送受信・時刻データ受信機５ｇと、競技者へのスタートの合図がなされた時にその旨を時刻データ送信機３ｓに通知するスタート通知器９と、時刻データ送信機３ｓ，３ｍ，３ｇおよびＩＤデータ送受信・時刻データ受信機５ｍ，５ｇとネットワーク２１を介して通信するデータ処理装置２２と、計時単位が１／１０００［秒］〜１［秒］の時計２３を具備している。
【００２１】
アンテナ４ｓ，４ｍ，４ｇは、同軸ケーブルを用いた漏洩アンテナであるが、多素子八木アンテナやパラボラアンテナなどを用いてもよい。
時刻データ送信機３ｓ，３ｍ，３ｇの無線送信電力は、調整可能になっている。
アンテナ４ｓ，４ｍ，４ｇや時刻データ送信機３ｓ，３ｍ，３ｇの無線送信電力を調整することで、適正な範囲の時刻データ送信エリアＥ１ｓ，Ｅ１ｍ，Ｅ１ｇを設置する。
【００２２】
データ処理装置２２は、時計２３により時刻同期データを発生し、ネットワーク２１を介して、時刻データ送信機３ｓ，３ｍ，３ｇへ、繰り返し送る。
時刻データ送信機３ｓ，３ｍ，３ｇは、時刻同期データに基づいて時刻データを発生する。
これにより、時刻データ送信機３ｓ，３ｍ，３ｇの時刻データは同一に保たれる。
【００２３】
図２の（ａ）に示すように、時刻データ送信機３ｓ，３ｍ，３ｇから無線タグ１ａ，１ｂ，…へ無線送信する下りデータ３Ｄは、スタート地点か中間地点かゴール地点かを表す地点データ３Ｄａと、現在時刻を表す時刻データ３Ｄｂとを含んでいる。
図２の（ｂ）に示すように、ＩＤデータ送受信・時刻データ受信機５ｍ，５ｇから無線タグ１ａ，１ｂ，…へ無線送信する下りデータ５Ｄは、一つの無線タグのＩＤデータ５Ｄａを含んでいる。
図２の（ｃ）に示すように、無線タグ１ａ，１ｂ，…からＩＤデータ送受信・時刻データ受信機５ｍ，５ｇへ無線送信する上りデータ１Ｄは、自己のＩＤデータ１Ｄａと、記憶していた時刻データ１Ｄｃ，１Ｄｅ，１Ｄｇと、各時刻データ１Ｄｃ，１Ｄｅ，１Ｄｇに対応する地点データ１Ｄｂ，１Ｄｄ，１Ｄｆとを含んでいる。
【００２４】
図３は、無線タグ１ａを示す平面図である（他の無線タグも同じ）。
この無線タグ１ａは、プラスチック製の扁平なケース１０ｃ内に、回路基板１０ｂと、ボタン電池１８とを収容したものである。回路基板１０ｂには、操作スイッチ１３ａやＬＥＤ１４ａやブザー１４ｂが搭載されている。操作スイッチ１３ａの押しボタンは、ケース１０ｃ外に露出している。また、ＬＥＤ１４ａの点灯は、ケース１０ｃを透して視認できる。また、ブザー１４ｂの音は、ケース１０ｃを介して聴認できる。
【００２５】
図４は、無線タグ１ａの構成を示すブロック図である（他の無線タグも同じ）。
無線タグ１ａは、マイコン（マイクロコンピュータ）１１と、プログラムや自己のＩＤデータや無線受信した時刻データを記憶する記憶部１２と、操作スイッチ１３ａの操作を受け付けるための操作部１３と、ＬＥＤ１４ａやブザー１４ｂを駆動するための報知部１４と、マイコン１１から与えられた上りデータ１Ｄを無線送信するための送信部１５と、下りデータ３Ｄや５Ｄを無線受信するための受信部１６と、送信／受信を切り換えるための送受信切換部１７と、各部に電力を供給するボタン電池１８とを具備している。
送信部１５による無線送信周波数は、例えば３００ＭＨｚである。一方、受信部１６による無線受信周波数は、例えば３５０ＭＨｚである。
【００２６】
図５に示すように、記憶部１２は、地点データと時刻データとを対応させて記憶する。
【００２７】
図６は、時刻データ送信機３ｓの構成を示すブロック図である（他の時刻データ送信機も同じ）。
時刻データ送信機３ｓは、マイコン３１と、プログラムや自己の地点データを記憶する記憶部３２と、ネットワーク２１を介してデータ処理装置２２から自己の地点データや時刻同期データを受け取る回線部３３と、時刻同期データを基に時刻データを発生する時刻データ発生部３４と、マイコン１１から与えられた下りデータ３Ｄを無線送信するための送信部３５と、送信電力を調整するための送信電力調整部３７と、スタート通知器９からのスタート通知を待つか否かを決めるスイッチ３８とを具備している。
スイッチ３８は、スタート地点の時刻データ送信機３ｓでは実線のように切り換えられ、スタート地点以外の時刻データ送信機３ｍ，３ｇでは破線のように切り換えられる。
【００２８】
図７は、ＩＤデータ送受信・時刻データ受信機５ｇの構成を示すブロック図である（他のＩＤデータ送受信・時刻データ受信機も同じ）。
ＩＤデータ送受信・時刻データ受信５ｇは、マイコン５１と、プログラムや各無線タグのＩＤデータを記憶する記憶部５２と、ネットワーク２１を介してデータ処理装置２２から各無線タグのＩＤデータを受け取ると共に無線タグから無線受信した上りデータをデータ処理装置２２に報告する回線部５３と、マイコン１１から与えられた下りデータ５Ｄを無線送信するための送信部５５と、上りデータ１Ｄを無線受信するための受信部５６と、送信／受信を切り換えるための送受信切換部５７とを具備している。
なお、移動時間や順位を表示するための表示部を設けてもよい。
【００２９】
図８は、無線タグ１ａ，１ｂ，…の動作を示すフロー図である。
この動作は、ボタン電池１８が入れられると起動される。
ステップＳ１では、送信部１５，受信部１６および送受信切換部１７は動作させないで、操作スイッチ１３ａが規定パターン（例えば３秒間押し続ける）で操作されたかの監視のみを行い、規定パターンで操作されたならステップＳ２へ進む。
ステップＳ２では、報知部１４を動作させ、規定パターンの操作を受け付けたことを報知する。
ステップＳ３では、記憶部１２の地点データおよび時刻データを全てクリアする。
【００３０】
ステップＳ４では、操作スイッチ１３ａが規定パターンで操作されたか否かをチェックし、規定パターンで操作されてないならステップＳ５へ進み、規定パターンで操作されたならステップＳ２５へ進む。
この処理は、無線タグの本来の動作を休止させたいときの処理である。
【００３１】
ステップＳ５では、受信部１６を動作状態にする。
ステップＳ６では、下りデータ３Ｄまたは５Ｄを受信していないならステップＳ４に戻り、受信したならステップＳ７へ進む。
ステップＳ７では、報知部１４を動作させ、下りデータを受信したことを報知する。
ステップＳ８では、受信した下りデータが地点データおよび時刻データならステップＳ９へ進み、受信した下りデータがＩＤデータならステップＳ１１へ進む。
【００３２】
ステップＳ９では、受信した下りデータの地点データが記憶部１２に既に記憶されているならステップＳ４に戻り、記憶されていないならステップＳ１０へ進む。
この処理は、２重記憶を防止するための処理である。
【００３３】
ステップＳ１０では、受信した地点データおよび時刻データを記憶部１２に記憶する。そして、ステップＳ４に戻る。
【００３４】
ステップＳ１１では、受信したのが自己のＩＤデータに一致すればステップＳ１２へ進み、一致しなければステップＳ４に戻る。
この処理は、複数の無線タグによる同時送信を防止するための処理である。
【００３５】
ステップＳ１２では、受信部１６を停止状態にする。
ステップＳ１３では、送信部１５を動作状態にする。
ステップＳ１５では、自己のＩＤデータと記憶部１２に記憶している地点データおよび時刻データとから上りデータ１Ｄを作成し、無線送信する。
ステップＳ１６では、送信部１５を停止状態にする。そして、ステップＳ４に戻る。
【００３６】
ステップＳ２５では、報知部１４を動作させ、規定パターンの操作を受け付けたことを報知する。そして、ステップＳ１に戻る。
この処理は、無線タグの本来の動作を休止させる処理である。
【００３７】
図９は、時刻データ送信機３ｓ，３ｍ，３ｇの動作を示すフロー図である。
ステップＴ１では、ネットワーク２１を介してのデータ処理装置２２との通信を確立する。通信の確立により、時刻が同期する。
ステップＴ２では、データ処理装置２２から通知された自己の地点データを記憶部３２に記憶する。
【００３８】
ステップＴ３では、データ処理装置２２から無線送信が許可されるのを待ち、許可されたらステップＴ４へ進む。
この処理は、むやみに無線送信することを防止するための処理である。
【００３９】
ステップＴ４では、スイッチ３８の設定（図６の実線か破線か）によりスタート通知を待つか否かを判定し、スタート通知を待つならステップＴ５へ進み、待たないならステップＴ７へ進む。
この処理は、スタート地点の時刻データ送信機３ｓでのみスタート通知を待つための処理である。
【００４０】
ステップＴ５では、スタート通知器９からスタートが通知されるのを待ち、通知されたらステップＴ６へ進む。
ステップＴ６では、スタート時刻（スタート通知器９からスタートが通知された時刻）をデータ処理装置２２へ報告する。
この処理は、全競技者に対してスタートの合図がなされた時刻（競技スタート時刻）を報告するための処理である。
【００４１】
ステップＴ７では、記憶部３２に記憶している地点データと時刻データ発生部３４で発生した時刻データを組み合わせて下りデータ３Ｄを作成する。
ステップＴ８では、送信部３５から下りデータ３Ｄを無線送信する。
【００４２】
ステップＴ９では、データ処理装置２２から終了指令が通知されなかったらステップＴ７に戻り、終了指令が通知されたら処理を終了する。
この処理は、必要な時期に無線送信を繰り返し、不必要な時期には無線送信を停止するための処理である。
【００４３】
図１０は、ＩＤデータ送受信・時刻データ受信機５ｍ，５ｇの動作を示すフロー図である。
ステップＲ１では、ネットワーク２１を介してのデータ処理装置２２との通信を確立する。
ステップＲ２では、データ処理装置２２から通知されたＩＤデータ（競技に参加している全無線タグのＩＤデータ）を記憶部５２に記憶する。
【００４４】
ステップＲ３では、データ処理装置２２から無線送信が許可されるのを待ち、許可されたらステップＲ４へ進む。
この処理は、むやみに無線送信することを防止するための処理である。
【００４５】
ステップＲ４では、記憶部３２に記憶しているＩＤデータから順に一つのＩＤデータを選択する。
ステップＲ５では、送信部５５を動作状態にする。
ステップＲ６では、選択したＩＤデータを下りデータ５Ｄとして無線送信する。
ステップＲ７では、送信部５５を停止状態にする。
ステップＲ８では、受信部５６を動作状態にする。
【００４６】
ステップＲ９では、選択したＩＤデータを含む上りデータ１Ｄを所定時間（例えば５ｍｓ）内に無線受信したならステップＲ１０へ進み、無線受信しなかったらステップＲ１１へ進む。
この処理は、記憶している全ＩＤデータ（全無線タグ）を所定時間（例えば１分間）内に走査するための処理である。
【００４７】
ステップＲ１０では、受信した上りデータ１Ｄをデータ処理装置２２にネットワーク２１を介して報告する。
【００４８】
ステップＲ１１では、受信部５６を停止状態にする。
ステップＲ１２では、記憶している全ＩＤデータ（全無線タグ）からの上りデータ１Ｄを無線受信し終わったなら処理を終了し、未だならステップＲ１３へ進む。
ステップＲ１３では、データ処理装置２２から終了指令が通知されなかったらステップＲ４に戻り、終了指令が通知されたら処理を終了する。
この処理は、必要な時期に下りデータ５Ｄの無線送信を行し、不必要な時期には無線送信を停止するための処理である。
【００４９】
図１１，図１２は、データ処理装置２２の動作を示すフロー図である。
ステップＰ１では、ネットワーク２１を介しての時刻データ送信機３ｓ，３ｍ，３ｇおよびＩＤデータ送受信・時刻データ受信機５ｍ，５ｇとの通信を確立する。
ステップＰ２では、ネットワーク２１を介して、時刻データ送信機３ｓ，３ｍ，３ｇへそれぞれの地点データ（スタート地点，中間地点，ゴール地点）を通知する。
ステップＰ３では、ネットワーク２１を介して、ＩＤデータ送受信・時刻データ受信機５ｍ，５ｇへ競技に参加している全ＩＤデータを通知する。
【００５０】
ステップＰ４では、スタート地点の時刻データ送信機３ｓで時刻データの無線送信を開始すべきタイミング（例えばスタート時刻２秒前）を待ち、そのタイミングになったらステップＰ５へ進む。
ステップＰ５では、ネットワーク２１を介して、スタート地点の時刻データ送信機３ｓへ、時刻データの無線送信を許可する。次いで、時刻データ送信機３ｓからスタート時刻を受け取る。
【００５１】
ステップＰ６では、スタート地点の時刻データ送信機３ｓで時刻データの無線送信を停止すべきタイミング（例えばスタート時刻から３０分経過後）を待ち、そのタイミングになったらステップＰ７へ進む。
ステップＰ７では、ネットワーク２１を介して、スタート地点の時刻データ送信機３ｓへ、終了指令を通知する。
【００５２】
ステップＰ８では、中間地点の時刻データ送信機３ｍで時刻データの無線送信を開始すべきタイミング（例えばスタート時刻から４０分経過後）を待ち、そのタイミングになったらステップＰ９へ進む。
ステップＰ９では、ネットワーク２１を介して、中間地点の時刻データ送信機３ｍへ、時刻データの無線送信を許可する。
【００５３】
ステップＰ１０では、中間地点のＩＤデータ送受信・時刻データ受信機５ｍでＩＤデータの無線送信を開始すべきタイミング（例えばスタート時刻から４０分経過後）を待ち、そのタイミングになったらステップＰ１１へ進む。
ステップＰ１１では、ネットワーク２１を介して、中間地点のＩＤデータ送受信・時刻データ受信機５ｍへ、ＩＤデータの無線送信を許可する。
【００５４】
ステップＰ１２では、競技に参加している全ＩＤデータ（全無線タグ）からの上りデータ１Ｄを中間地点のＩＤデータ送受信・時刻データ受信機５ｍから報告され終わったならステップＰ１４へ進み、未だならステップＰ１３へ進む。
ステップＰ１３では、中間地点での無線受信を終了すべきタイミング（例えばスタート時刻から１００分経過後）まではステップＰ１２に戻り、そのタイミングになったらステップＰ１４へ進む。
【００５５】
ステップＰ１４では、ネットワーク２１を介して、中間地点の時刻データ送信機３ｍへ、終了指令を通知する。
ステップＰ１５では、ネットワーク２１を介して、中間地点のＩＤデータ送受信・時刻データ受信機５ｍへ、終了指令を通知する。
【００５６】
ステップＰ１６では、報告された各無線タグ１ａ，１ｂ，…からの地点データと時刻データとを基に、各競技者の中間地点までの所要時間と順位とを計算し、出力する。
【００５７】
図１２のステップＰ１７では、ゴール地点の時刻データ送信機３ｇで時刻データの無線送信を開始すべきタイミング（例えばスタート時刻から１４０分経過後）を待ち、そのタイミングになったらステップＰ１８へ進む。
ステップＰ１８では、ネットワーク２１を介して、ゴール地点の時刻データ送信機３ｇへ、時刻データの無線送信を許可する。
【００５８】
ステップＰ１９では、ゴール地点のＩＤデータ送受信・時刻データ受信機５ｇでＩＤデータの無線送信を開始すべきタイミング（例えばスタート時刻から１４０分経過後）を待ち、そのタイミングになったらステップＰ２０へ進む。
ステップＰ２０では、ネットワーク２１を介して、ゴール地点のＩＤデータ送受信・時刻データ受信機５ｇへ、ＩＤデータの無線送信を許可する。
【００５９】
ステップＰ２１では、競技に参加している、いずれかのＩＤデータ（いずれかかの無線タグ）からの上りデータ１Ｄをゴール地点のＩＤデータ送受信・時刻データ受信機５ｇから報告されたならステップＰ２２へ進み、報告されていないならステップＰ２３へ進む。
【００６０】
ステップＰ２２では、報告された地点データと時刻データとを基に次の計算を行い、計算結果を出力する。
（１）報告されたＩＤデータに対応する競技者の、競技スタート時刻（全競技者に対してスタートの合図がなされた時刻）からゴール時刻（当該競技者がゴール地点で受信した時刻データ）までの経過時間（競技時間）と順位（ゴール順位）。
（２）報告されたＩＤデータに対応する競技者の、スタート地点通過時刻（当該競技者がスタート地点で受信した時刻データ）からゴール時刻までの経過時間（実時間）と順位（時間順位）。
【００６１】
ステップＰ２３では、競技に参加している全ＩＤデータ（全無線タグ）からの上りデータ１Ｄをゴール地点のＩＤデータ送受信・時刻データ受信機５ｇから報告され終わったならステップＰ２５へ進み、未だならステップＰ２４へ進む。
ステップＰ２４では、ゴール地点での無線受信を終了すべきタイミング（例えばスタート時刻から３００分経過後）まではステップＰ２１に戻り、そのタイミングになったらステップＰ２５へ進む。
【００６２】
ステップＰ２５では、ネットワーク２１を介して、ゴール地点の時刻データ送信機３ｇへ、終了指令を通知する。
ステップＰ２６では、ネットワーク２１を介して、ゴール地点のＩＤデータ送受信・時刻データ受信機５ｇへ、終了指令を通知する。そして、処理を終了する。
【００６３】
実施例１の移動体計時装置１００によれば、１つの時計２３で得た時刻またはそれに同期した時計で得た時刻により多数の競技者の移動時間を計測できるようになり、多数の競技者の間に不公平を生じることがない。
また、全競技者に対してスタートの合図がなされた時刻から各競技者がゴールするまでの各競技時間と、各競技者のゴール順位と、各競技者がスタート地点を通過した時刻から各競技者がゴールするまでの各実移動時間と、実移動時間の長短に基づく各競技者の時間順位とを出力することが出来る。
【実施例２】
【００６４】
図１３は、実施例２に係る移動体計時装置２００を示す説明図である。
この移動体計時装置２００は、競技者２ａ，２ｂ，…がそれぞれ携帯する無線タグ１ａ，１ｂ，…と、スタートラインＬｓに沿って敷設されたアンテナ４ｓと、アンテナ４ｓから下りデータ（図２の３Ｄ）を無線送信する時刻データ送信機３ｓと、中間ラインＬｍに沿って敷設されたアンテナ４ｍと、アンテナ４ｍから下りデータ（３Ｄ）を無線送信する時刻データ送信機３ｍと、ゴールラインＬｇに沿って敷設されたアンテナ４ｇと、アンテナ４ｇから下りデータ（３Ｄ）を無線送信する時刻データ送信機３ｇと、中間ラインＬｍより後方に設定した時刻データ読出エリアＥ２ｍで無線タグ１ａ，１ｂ，…から無線送信された上りデータ（図２の１Ｄ）をアンテナ６ｍによって無線受信するＩＤデータ受信・時刻データ受信機５ｍ’と、ゴールラインＬｇより後方に設定した時刻データ読出エリアＥ２ｇで無線タグ１ａ，１ｂ，…から無線送信された上りデータ（１Ｄ）をアンテナ６ｇによって無線受信するＩＤデータ受信・時刻データ受信機５ｇ’と、競技者へのスタートの合図がなされた時にその旨を時刻データ送信機３ｓに通知するスタート通知器９と、時刻データ送信機３ｓ，３ｍ，３ｇおよびＩＤデータ受信・時刻データ受信機５ｍ’，５ｇ’とネットワーク２１を介して通信するデータ処理装置２２と、計時単位が１／１０００［秒］〜１［秒］の時計２３を具備している。
【００６５】
アンテナ４ｓ，４ｍ，４ｇは、同軸ケーブルを用いた漏洩アンテナであるが、多素子八木アンテナやパラボラアンテナなどを用いてもよい。
時刻データ送信機３ｓ，３ｍ，３ｇの無線送信電力は、調整可能になっている。
アンテナ４ｓ，４ｍ，４ｇや時刻データ送信機３ｓ，３ｍ，３ｇの無線送信電力を調整することで、適正な範囲の時刻データ送信エリアＥ１ｓ，Ｅ１ｍ，Ｅ１ｇを設置する。
【００６６】
データ処理装置２２は、時計２３により時刻同期データを発生し、ネットワーク２１を介して、時刻データ送信機３ｓ，３ｍ，３ｇへ、繰り返し送る。
時刻データ送信機３ｓ，３ｍ，３ｇは、時刻同期データに基づいて時刻データを発生する。
これにより、時刻データ送信機３ｓ，３ｍ，３ｇの時刻データは同一に保たれる。
【００６７】
無線タグ１ａおよび時刻データ送信機３ｓの構成は、実施例１と同様である。
【００６８】
図１４は、ＩＤデータ受信・時刻データ受信機５ｇ’の構成を示すブロック図である（他のＩＤデータ受信・時刻データ受信機も同じ）。
ＩＤデータ受信・時刻データ受信５ｇ’は、マイコン５１と、プログラムや各無線タグのＩＤデータを記憶する記憶部５２と、ネットワーク２１を介してデータ処理装置２２から各無線タグのＩＤデータを受け取ると共に無線タグから無線受信した上りデータをデータ処理装置２２に報告する回線部５３と、上りデータ１Ｄを無線受信するための受信部５６とを具備している。
なお、移動時間や順位を表示するための表示部を設けてもよい。
【００６９】
図１５は、無線タグ１ａ，１ｂ，…の動作を示すフロー図である。
この動作は、ボタン電池１８が入れられると起動される。
ステップＳ１では、送信部１５，受信部１６および送受信切換部１７は動作させないで、操作スイッチ１３ａが規定パターン（例えば３秒間押し続ける）で操作されたかの監視のみを行い、規定パターンで操作されたならステップＳ２へ進む。
ステップＳ２では、報知部１４を動作させ、規定パターンの操作を受け付けたことを報知する。
ステップＳ３では、記憶部１２の地点データおよび時刻データを全てクリアする。
【００７０】
ステップＳ４では、操作スイッチ１３ａが規定パターンで操作されたか否かをチェックし、規定パターンで操作されてないならステップＳ５へ進み、規定パターンで操作されたならステップＳ２５へ進む。
この処理は、無線タグの本来の動作を休止させたいときの処理である。
【００７１】
ステップＳ５では、受信部１６を動作状態にする。
ステップＳ６では、下りデータ３Ｄを受信していないならステップＳ４に戻り、受信したならステップＳ７へ進む。
ステップＳ７では、報知部１４を動作させ、下りデータ３Ｄを受信したことを報知する。
【００７２】
ステップＳ９では、受信した下りデータ３Ｄの地点データが記憶部１２に既に記憶されているならステップＳ１２へ進み、記憶されていないならステップＳ１０へ進む。
この処理は、２重記憶を防止するための処理である。
【００７３】
ステップＳ１０では、受信した地点データおよび時刻データを記憶部１２に記憶する。そして、ステップＳ４に戻る。
【００７４】
ステップＳ１２では、受信部１６を停止状態にする。
ステップＳ１３では、送信部１５を動作状態にする。
ステップＳ１４では、タイムアップするタイマーをスタートする。
【００７５】
ステップＳ１５では、自己のＩＤデータと記憶部１２に記憶している地点データおよび時刻データとから上りデータ１Ｄを作成し、無線送信する。
ステップＳ１６では、送信部１５を停止状態にする。
【００７６】
ステップＳ１７では、タイマーがタイムアップする前はステップＳ１５に戻り、タイマーがタイムアップしたならステップＳ４に戻る。
この処理は、時刻データの受信後の所定期間（例えば１０分間）、上りデータ１Ｄの送信を繰り返すための処理である。
【００７７】
ステップＳ２５では、報知部１４を動作させ、規定パターンの操作を受け付けたことを報知する。そして、ステップＳ１に戻る。
この処理は、無線タグの本来の動作を休止させる処理である。
【００７８】
時刻データ送信機３ｓ，３ｍ，３ｇの動作は、実施例１と同様である。
【００７９】
図１６は、ＩＤデータ受信・時刻データ受信機５ｍ’，５ｇ’の動作を示すフロー図である。
ステップＲ１では、ネットワーク２１を介してのデータ処理装置２２との通信を確立する。
ステップＲ８では、受信部５６を動作状態にする。
【００８０】
ステップＲ９’では、上りデータ１Ｄを無線受信したならステップＲ１０へ進み、無線受信しなかったらステップＲ１３へ進む。
ステップＲ１０では、受信した上りデータ１Ｄをデータ処理装置２２にネットワーク２１を介して報告する。
【００８１】
ステップＲ１３では、データ処理装置２２から終了指令が通知されなかったらステップＲ９’に戻り、終了指令が通知されたら処理を終了する。
【００８２】
図１７，図１５は、データ処理装置２２の動作を示すフロー図である。
ステップＰ１では、ネットワーク２１を介しての時刻データ送信機３ｓ，３ｍ，３ｇおよびＩＤデータ受信・時刻データ受信機５ｍ’，５ｇ’との通信を確立する。
ステップＰ２では、ネットワーク２１を介して、時刻データ送信機３ｓ，３ｍ，３ｇへそれぞれの地点データ（スタート地点，中間地点，ゴール地点）を通知する。
【００８３】
ステップＰ４では、スタート地点の時刻データ送信機３ｓで時刻データの無線送信を開始すべきタイミング（例えばスタート時刻２秒前）を待ち、そのタイミングになったらステップＰ５へ進む。
ステップＰ５では、ネットワーク２１を介して、スタート地点の時刻データ送信機３ｓへ、時刻データの無線送信を許可する。次いで、時刻データ送信機３ｓからスタート時刻を受け取る。
【００８４】
ステップＰ６では、スタート地点の時刻データ送信機３ｓで時刻データの無線送信を停止すべきタイミング（例えばスタート時刻から３０分経過後）を待ち、そのタイミングになったらステップＰ７へ進む。
ステップＰ７では、ネットワーク２１を介して、スタート地点の時刻データ送信機３ｓへ、終了指令を通知する。
【００８５】
ステップＰ８では、中間地点の時刻データ送信機３ｍで時刻データの無線送信を開始すべきタイミング（例えばスタート時刻から４０分経過後）を待ち、そのタイミングになったらステップＰ９へ進む。
ステップＰ９では、ネットワーク２１を介して、中間地点の時刻データ送信機３ｍへ、時刻データの無線送信を許可する。
【００８６】
ステップＰ１２では、競技に参加している全ＩＤデータ（全無線タグ）からの上りデータ１Ｄを中間地点のＩＤデータ受信・時刻データ受信機５ｍ’から報告され終わったならステップＰ１４へ進み、未だならステップＰ１３へ進む。
ステップＰ１３では、中間地点での無線受信を終了すべきタイミング（例えばスタート時刻から１００分経過後）まではステップＰ１２に戻り、そのタイミングになったらステップＰ１４へ進む。
【００８７】
ステップＰ１４では、ネットワーク２１を介して、中間地点の時刻データ送信機３ｍへ、終了指令を通知する。
ステップＰ１５では、ネットワーク２１を介して、中間地点のＩＤデータ受信・時刻データ受信機５ｍ’へ、終了指令を通知する。
【００８８】
ステップＰ１６では、報告された各無線タグ１ａ，１ｂ，…からの地点データと時刻データとを基に、各競技者の中間地点までの所要時間と順位とを計算し、出力する。
【００８９】
図１８のステップＰ１７では、ゴール地点の時刻データ送信機３ｇで時刻データの無線送信を開始すべきタイミング（例えばスタート時刻から１４０分経過後）を待ち、そのタイミングになったらステップＰ１８へ進む。
ステップＰ１８では、ネットワーク２１を介して、ゴール地点の時刻データ送信機３ｇへ、時刻データの無線送信を許可する。
【００９０】
ステップＰ２１では、競技に参加している、いずれかのＩＤデータ（いずれかかの無線タグ）からの上りデータ１Ｄをゴール地点のＩＤデータ受信・時刻データ受信機５ｇ’から報告されたならステップＰ２２へ進み、報告されていないならステップＰ２３へ進む。
【００９１】
ステップＰ２２では、報告された地点データと時刻データとを基に次の計算を行い、計算結果を出力する。
（１）報告されたＩＤデータに対応する競技者の、競技スタート時刻（全競技者に対してスタートの合図がなされた時刻）からゴール時刻（当該競技者がゴール地点で受信した時刻データ）までの経過時間（競技時間）と順位（ゴール順位）。
（２）報告されたＩＤデータに対応する競技者の、スタート地点通過時刻（当該競技者がスタート地点で受信した時刻データ）からゴール時刻までの経過時間（実時間）と順位（時間順位）。
【００９２】
ステップＰ２３では、競技に参加している全ＩＤデータ（全無線タグ）からの上りデータ１Ｄをゴール地点のＩＤデータ受信・時刻データ受信機５ｇ’から報告され終わったならステップＰ２５へ進み、未だならステップＰ２４へ進む。
ステップＰ２４では、ゴール地点での無線受信を終了すべきタイミング（例えばスタート時刻から３００分経過後）まではステップＰ２１に戻り、そのタイミングになったらステップＰ２５へ進む。
【００９３】
ステップＰ２５では、ネットワーク２１を介して、ゴール地点の時刻データ送信機３ｇへ、終了指令を通知する。
ステップＰ２６では、ネットワーク２１を介して、ゴール地点のＩＤデータ受信・時刻データ受信機５ｇ’へ、終了指令を通知する。そして、処理を終了する。
【００９４】
実施例２の移動体計時装置２００によれば、１つの時計２３で得た時刻またはそれに同期した時計で得た時刻により多数の競技者の移動時間を計測できるようになり、多数の競技者の間に不公平を生じることがない。
また、全競技者に対してスタートの合図がなされた時刻から各競技者がゴールするまでの各競技時間と、各競技者のゴール順位と、各競技者がスタート地点を通過した時刻から各競技者がゴールするまでの各実移動時間と、実移動時間の長短に基づく各競技者の時間順位とを出力することが出来る。
さらに、ＩＤデータ受信・時刻データ受信機５ｍ’，５ｇ’の構成が簡単になる。
【実施例３】
【００９５】
図１９は、実施例３に係る移動体計時装置３００を示す説明図である。
この移動体計時装置３００は、競技者２ａ，２ｂ，…がそれぞれ携帯する無線タグ１ａ，１ｂ，…と、スタートラインＬｓより前方に設定した指令データ送信エリアＥ３ｓで無線タグ１ａ，１ｂ，…から無線送信された上りデータ（図２０の１Ｄ’）をアンテナ８ｓによって無線受信すると共に下りデータ（図２０の７Ｄ）を無線送信するＩＤデータ受信・指令データ送信機７ｓと、スタートラインＬｓに沿って敷設されたアンテナ４ｓと、アンテナ４ｓから下りデータ（図２の３Ｄ）を無線送信する時刻データ送信機３ｓと、中間ラインＬｍより前方に設定した指令データ送信エリアＥ３ｍで無線タグ１ａ，１ｂ，…から無線送信された上りデータ（１Ｄ’）をアンテナ８ｍによって無線受信すると共に下りデータ（７Ｄ）を無線送信するＩＤデータ受信・指令データ送信機７ｍと、中間ラインＬｍに沿って敷設されたアンテナ４ｍと、アンテナ４ｍから下りデータ（３Ｄ）を無線送信する時刻データ送信機３ｍと、中間ラインＬｍより後方に設定した時刻データ読出エリアＥ２ｍに下りデータ（図２の５Ｄ）を無線送信すると共に無線タグ１ａ，１ｂ，…から無線送信された上りデータ（図２の１Ｄ）をアンテナ６ｍによって無線受信するＩＤデータ送受信・時刻データ受信機５ｍと、ゴールラインＬｇより前方に設定した指令データ送信エリアＥ３ｇで無線タグ１ａ，１ｂ，…から無線送信された上りデータ（１Ｄ’）をアンテナ８ｇによって無線受信すると共に下りデータ（７Ｄ）を無線送信するＩＤデータ受信・指令データ送信機７ｇと、ゴールラインＬｇに沿って敷設されたアンテナ４ｇと、アンテナ４ｇから下りデータ（３Ｄ）を無線送信する時刻データ送信機３ｇと、ゴールラインＬｇより後方に設定した時刻データ読出エリアＥ２ｇに下りデータ（５Ｄ）を無線送信すると共に無線タグ１ａ，１ｂ，…から無線送信された上りデータ（１Ｄ）をアンテナ６ｇによって無線受信するＩＤデータ送受信・時刻データ受信機５ｇと、競技者へのスタートの合図がなされた時にその旨を時刻データ送信機３ｓに通知するスタート通知器９と、時刻データ送信機３ｓ，３ｍ，３ｇおよびＩＤデータ送受信・時刻データ受信機５ｍ，５ｇおよびＩＤデータ受信・指令データ送信機７ｓ，７ｍ，７ｇとネットワーク２１を介して通信するデータ処理装置２２と、計時単位が１／１０００［秒］〜１［秒］の時計２３を具備している。
【００９６】
アンテナ４ｓ，４ｍ，４ｇは、同軸ケーブルを用いた漏洩アンテナであるが、多素子八木アンテナやパラボラアンテナなどを用いてもよい。
時刻データ送信機３ｓ，３ｍ，３ｇの無線送信電力は、調整可能になっている。
アンテナ４ｓ，４ｍ，４ｇや時刻データ送信機３ｓ，３ｍ，３ｇの無線送信電力を調整することで、適正な範囲の時刻データ送信エリアＥ１ｓ，Ｅ１ｍ，Ｅ１ｇを設置する。
【００９７】
データ処理装置２２は、時計２３により時刻同期データを発生し、ネットワーク２１を介して、時刻データ送信機３ｓ，３ｍ，３ｇへ、繰り返し送る。
時刻データ送信機３ｓ，３ｍ，３ｇは、時刻同期データに基づいて時刻データを発生する。
これにより、時刻データ送信機３ｓ，３ｍ，３ｇの時刻データは同一に保たれる。
【００９８】
図２０の（ａ）に示すように、無線タグ１ａ，１ｂ，…からＩＤデータ受信・指令データ送信機７ｓ，７ｍ，７ｇへ無線送信する上りデータ１Ｄ’は、自己のＩＤデータ１Ｄａを含んでいる。
図２０の（ｂ）に示すように、ＩＤデータ受信・指令データ送信機７ｓ，７ｍ，７ｇから無線タグ１ａ，１ｂ，…へ無線送信する下りデータ７Ｄは、ＩＤデータ７Ｄａと、指令データ７Ｄｂとを含んでいる。
【００９９】
無線タグ１ａ，時刻データ送信機３ｓ，ＩＤデータ送受信・時刻データ受信機５ｍ，５ｇの構成は、実施例１と同様である。
【０１００】
図２１は、ＩＤデータ受信・指令データ送信機７ｓの構成を示すブロック図である（他のＩＤデータ受信・指令データ送信機も同じ）。
このＩＤデータ受信・指令データ送信機７ｓは、マイコン７１と、プログラムや各無線タグのＩＤデータを記憶する記憶部７２と、ネットワーク２１を介してデータ処理装置２２から各無線タグのＩＤデータを受け取る回線部７３と、マイコン７１から与えられた下りデータ７Ｄを無線送信するための送信部７５と、上りデータ１Ｄ’を無線受信するための受信部７６と、送信／受信を切り換えるための送受信切換部７７とを具備している。
【０１０１】
図２２は、無線タグ１ａ，１ｂ，…の動作を示すフロー図である。
この動作は、ボタン電池１８が入れられると起動される。
ステップＡ１では、送信部１５，受信部１６および送受信切換部１７は動作させないで、操作スイッチ１３ａが規定パターン（例えば３秒間押し続ける）で操作されたかの監視のみを行い、規定パターンで操作されたならステップＡ２へ進む。
ステップＡ２では、報知部１４を動作させ、規定パターンの操作を受け付けたことを報知する。
ステップＡ３では、記憶部１２の地点データおよび時刻データを全てクリアする。
【０１０２】
ステップＡ４では、操作スイッチ１３ａが規定パターンで操作されたか否かをチェックし、規定パターンで操作されてないならステップＡ５へ進み、規定パターンで操作されたならステップＡ２５へ進む。
この処理は、無線タグの本来の動作を休止させたいときの処理である。
【０１０３】
ステップＡ５では、送信部１５を動作状態にする。
ステップＡ６では、自己のＩＤデータから上りデータ１Ｄ’を作成し、無線送信する。
ステップＡ７では、送信部１５を停止状態にする。
ステップＡ８では、タイマーをスタートする。
ステップＡ９では、受信部１６を動作状態にする。
ステップＡ１０では、下りデータ７Ｄ，３Ｄ，５Ｄのいずれかを受信していないならステップＡ１１へ進み、受信したならステップＡ１３へ進む。
【０１０４】
ステップＡ１１では、タイマーがタイムアップする前はステップＡ１０に戻り、タイマーがタイムアップしたならステップＡ１２へ進む。
この処理は、上りデータ１Ｄ’の送信後の所定期間（例えば１秒間）、下りデータ７Ｄの受信を待つための処理である。
【０１０５】
ステップＡ１２では、受信部１６を停止状態にする。そして、ステップＡ４に戻る。
この処理は、受信部１６での電力消費を抑制するための処理である。
【０１０６】
ステップＡ１３では、報知部１４を動作させ、下りデータを受信したことを報知する。
ステップＡ１４では、受信した下りデータが自己のＩＤデータおよび指令データならステップＡ１５へ進み、そうでないならステップＡ２０へ進む。
【０１０７】
ステップＡ１５では、タイマーを延長する（例えば３０秒間）。
ステップＡ１６では、下りデータ３Ｄを受信していないならステップＡ１７へ進み、受信したならステップＡ１８へ進む。
【０１０８】
ステップＡ１７では、タイマーがタイムアップする前はステップＡ１６に戻り、タイマーがタイムアップしたならステップＡ１２に戻る。
この処理は、指令データ７Ｄの受信後の所定期間（例えば３０秒間）、時刻データ３Ｄの受信を待つための処理である。
【０１０９】
ステップＡ１８では、受信した下りデータ３Ｄの地点データが記憶部１２に既に記憶されているならステップＡ１２に戻り、記憶されていないならステップＡ１９へ進む。
この処理は、２重記憶を防止するための処理である。
【０１１０】
ステップＡ１９では、受信した地点データおよび時刻データを記憶部１２に記憶する。そして、ステップＡ１２に戻る。
【０１１１】
ステップＡ２０では、受信部１６を停止状態にする。
ステップＡ２１では、受信した下りデータが自己のＩＤデータに一致すればステップＡ２２へ進み、一致しなければステップＡ４に戻る。
この処理は、複数の無線タグによる同時送信を防止するための処理である。
【０１１２】
ステップＡ２２では、送信部１５を動作状態にする。
ステップＡ２３では、自己のＩＤデータと記憶部１２に記憶している地点データおよび時刻データとから上りデータ１Ｄを作成し、無線送信する。
ステップＡ２４では、送信部１５を停止状態にする。そして、ステップＡ４に戻る。
【０１１３】
ステップＡ２５では、報知部１４を動作させ、規定パターンの操作を受け付けたことを報知する。そして、ステップＡ１に戻る。
この処理は、無線タグの本来の動作を休止させる処理である。
【０１１４】
図２３は、ＩＤデータ受信・指令データ送信機７ｓの動作を示すフロー図である。
ステップＢ１では、ネットワーク２１を介してのデータ処理装置２２との通信を確立する。
ステップＢ２では、データ処理装置２２から通知されたＩＤデータ（競技に参加している全無線タグのＩＤデータ）を記憶部７２に記憶する。
【０１１５】
ステップＢ３では、データ処理装置２２から無線送信が許可されるのを待ち、許可されたらステップＢ４へ進む。
この処理は、むやみに無線送信することを防止するための処理である。
【０１１６】
ステップＢ４では、受信部７６を動作状態にする。
【０１１７】
ステップＢ５では、ＩＤデータ１Ｄ’を受信したならステップＢ６へ進み、受信していないならステップＢ１２へ進む。
ステップＢ６では、受信したＩＤデータ１Ｄ’が、記憶しているＩＤデータの一つであればステップＢ７へ進み、そうでなければステップＢ１２へ進む。
【０１１８】
ステップＢ７では、受信部７６を停止状態にする。
ステップＢ８では、送信部７５を動作状態にする。
ステップＢ９では、受信したＩＤデータ１Ｄ’と指令データとを下りデータ７Ｄとして無線送信する。
ステップＢ１０では、送信部７５を停止状態にする。
ステップＢ１１では、受信部７６を動作状態にする。
【０１１９】
ステップＢ１２では、データ処理装置２２から終了指令が通知されなかったらステップＢ５に戻り、終了指令が通知されたら処理を終了する。
この処理は、必要な時期に下りデータ７Ｄの無線送信を行し、不必要な時期には無線送信を停止するための処理である。
【０１２０】
時刻データ送信機３ｓ，３ｍ，３ｇ、ＩＤデータ送受信・時刻データ受信機５ｍ，５ｇの動作は実施例１と同様である。
【０１２１】
図２４，図２５，図２６は、データ処理装置２２の動作を示すフロー図である。
ステップＣ１では、ネットワーク２１を介してのＩＤデータ受信・指令データ送信機７ｓ，７ｍ，７ｇ、時刻データ送信機３ｓ，３ｍ，３ｇおよびＩＤデータ送受信・時刻データ受信機５ｍ，５ｇとの通信を確立する。
ステップＣ２では、ネットワーク２１を介して、時刻データ送信機３ｓ，３ｍ，３ｇへそれぞれの地点データ（スタート地点，中間地点，ゴール地点）を通知する。
ステップＣ３では、ネットワーク２１を介して、ＩＤデータ受信・指令データ送信機７ｓ，７ｍ，７ｇおよびＩＤデータ送受信・時刻データ受信機５ｍ，５ｇへ競技に参加している全ＩＤデータを通知する。
【０１２２】
ステップＣ４では、スタート地点のＩＤデータ受信・指令データ送信機７ｓで指令データの無線送信を開始すべきタイミング（例えばスタート時刻１分前）を待ち、そのタイミングになったらステップＣ５へ進む。
ステップＣ５では、ネットワーク２１を介して、スタート地点のＩＤデータ受信・指令データ送信機７ｓへ、指令データの無線送信を許可する。
【０１２３】
ステップＣ６では、スタート地点の時刻データ送信機３ｓで時刻データの無線送信を開始すべきタイミング（例えばスタート時刻２秒前）を待ち、そのタイミングになったらステップＣ７へ進む。
ステップＣ７では、ネットワーク２１を介して、スタート地点の時刻データ送信機３ｓへ、時刻データの無線送信を許可する。次いで、時刻データ送信機３ｓからスタート時刻を受け取る。
【０１２４】
ステップＣ８では、スタート地点のＩＤデータ受信・指令データ送信機７ｓで指令データの無線送信を停止すべきタイミング（例えばスタート時刻から３０分経過後）を待ち、そのタイミングになったらステップＣ９へ進む。
ステップＣ９では、ネットワーク２１を介して、スタート地点のＩＤデータ受信・指令データ送信機７ｓへ、終了指令を通知する。
【０１２５】
ステップＣ１０では、スタート地点の時刻データ送信機３ｓで時刻データの無線送信を停止すべきタイミング（例えばスタート時刻から３０分経過後）を待ち、そのタイミングになったらステップＣ１１へ進む。
ステップＣ１１では、ネットワーク２１を介して、スタート地点の時刻データ送信機３ｓへ、終了指令を通知する。
【０１２６】
ステップＣ１２では、中間地点のＩＤデータ受信・指令データ送信機７ｍで指令データの無線送信を開始すべきタイミング（例えばスタート時刻から４０分後）を待ち、そのタイミングになったらステップＣ１３へ進む。
ステップＣ１３では、ネットワーク２１を介して、中間地点のＩＤデータ受信・指令データ送信機７ｍへ、指令データの無線送信を許可する。
【０１２７】
ステップＣ１４では、中間地点の時刻データ送信機３ｍで時刻データの無線送信を開始すべきタイミング（例えばスタート時刻から４０分経過後）を待ち、そのタイミングになったらステップＣ１５へ進む。
ステップＣ１５では、ネットワーク２１を介して、中間地点の時刻データ送信機３ｍへ、時刻データの無線送信を許可する。
【０１２８】
図２５のステップＣ１６では、中間地点のＩＤデータ送受信・時刻データ受信機５ｍでＩＤデータの無線送信を開始すべきタイミング（例えばスタート時刻から４０分経過後）を待ち、そのタイミングになったらステップＣ１７へ進む。
ステップＣ１７では、ネットワーク２１を介して、中間地点のＩＤデータ送受信・時刻データ受信機５ｍへ、ＩＤデータの無線送信を許可する。
【０１２９】
ステップＣ１８では、競技に参加している全ＩＤデータ（全無線タグ）からの上りデータ１Ｄを中間地点のＩＤデータ送受信・時刻データ受信機５ｍから報告され終わったならステップＣ２０へ進み、未だならステップＣ１９へ進む。
ステップＣ１９では、中間地点での無線受信を終了すべきタイミング（例えばスタート時刻から１００分経過後）まではステップＣ１８に戻り、そのタイミングになったらステップＣ２０へ進む。
【０１３０】
ステップＣ２０では、ネットワーク２１を介して、中間地点のＩＤデータ受信・指令データ送信機７ｍへ、終了指令を通知する。
ステップＣ２１では、ネットワーク２１を介して、中間地点の時刻データ送信機３ｍへ、終了指令を通知する。
ステップＣ２２では、ネットワーク２１を介して、中間地点のＩＤデータ送受信・時刻データ受信機５ｍへ、終了指令を通知する。
【０１３１】
ステップＣ２３では、報告された各無線タグ１ａ，１ｂ，…からの地点データと時刻データとを基に、各競技者の中間地点までの所要時間と順位とを計算し、出力する。
【０１３２】
ステップＣ２４では、ゴール地点のＩＤデータ受信・指令データ送信機７ｇで指令データの無線送信を開始すべきタイミング（例えばスタート時刻から１４０分後）を待ち、そのタイミングになったらステップＣ２５へ進む。
ステップＣ２５では、ネットワーク２１を介して、中間地点のＩＤデータ受信・指令データ送信機７ｇへ、指令データの無線送信を許可する。
【０１３３】
ステップＣ２６では、ゴール地点の時刻データ送信機３ｇで時刻データの無線送信を開始すべきタイミング（例えばスタート時刻から１４０分経過後）を待ち、そのタイミングになったらステップＣ２７へ進む。
ステップＣ２７では、ネットワーク２１を介して、ゴール地点の時刻データ送信機３ｇへ、時刻データの無線送信を許可する。
【０１３４】
図２６のステップＣ２８では、ゴール地点のＩＤデータ送受信・時刻データ受信機５ｇでＩＤデータの無線送信を開始すべきタイミング（例えばスタート時刻から１４０分経過後）を待ち、そのタイミングになったらステップＣ２９へ進む。
ステップＣ２９では、ネットワーク２１を介して、ゴール地点のＩＤデータ送受信・時刻データ受信機５ｇへ、ＩＤデータの無線送信を許可する。
【０１３５】
ステップＣ３０では、競技に参加している、いずれかのＩＤデータ（いずれかかの無線タグ）からの上りデータ１Ｄをゴール地点のＩＤデータ送受信・時刻データ受信機５ｇから報告されたならステップＣ３１へ進み、報告されていないならステップＣ３２へ進む。
【０１３６】
ステップＣ３１では、報告された地点データと時刻データとを基に次の計算を行い、計算結果を出力する。
（１）報告されたＩＤデータに対応する競技者の、競技スタート時刻（全競技者に対してスタートの合図がなされた時刻）からゴール時刻（当該競技者がゴール地点で受信した時刻データ）までの経過時間（競技時間）と順位（ゴール順位）。
（２）報告されたＩＤデータに対応する競技者の、スタート地点通過時刻（当該競技者がスタート地点で受信した時刻データ）からゴール時刻までの経過時間（実時間）と順位（時間順位）。
【０１３７】
ステップＣ３２では、競技に参加している全ＩＤデータ（全無線タグ）からの上りデータ１Ｄをゴール地点のＩＤデータ送受信・時刻データ受信機５ｇから報告され終わったならステップＣ３４へ進み、未だならステップＣ３３へ進む。
ステップＣ３３では、ゴール地点での無線受信を終了すべきタイミング（例えばスタート時刻から３００分経過後）まではステップＣ３０に戻り、そのタイミングになったらステップＣ３４へ進む。
【０１３８】
ステップＣ３４では、ネットワーク２１を介して、ゴール地点のＩＤデータ受信・指令データ送信機７ｇへ、終了指令を通知する。
ステップＣ３５では、ネットワーク２１を介して、ゴール地点の時刻データ送信機３ｇへ、終了指令を通知する。
ステップＣ３６では、ネットワーク２１を介して、ゴール地点のＩＤデータ送受信・時刻データ受信機５ｇへ、終了指令を通知する。そして、処理を終了する。
【０１３９】
実施例３の移動体計時装置３００によれば、１つの時計２３で得た時刻またはそれに同期した時計で得た時刻により多数の競技者の移動時間を計測できるようになり、多数の競技者の間に不公平を生じることがない。
また、全競技者に対してスタートの合図がなされた時刻から各競技者がゴールするまでの各競技時間と、各競技者のゴール順位と、各競技者がスタート地点を通過した時刻から各競技者がゴールするまでの各実移動時間と、実移動時間の長短に基づく各競技者の時間順位とを出力することが出来る。
さらに、無線タグ１ａ，１ｂ，…が、無線送信動作と無線受信動作とを連続的に行わず、間欠的に繰り返すので、電力消費が少なくなり、ボタン電池１８の寿命を延ばすことが出来る。
【実施例４】
【０１４０】
実施例１〜３では、スタート地点の時刻データ送信機３ｓで無線送信する時刻データを進行する時間としたが、スタート時刻に固定してもよい。
【０１４１】
図２７は、実施例４に係る時刻データ送信機３ｓ，３ｍ，３ｇの処理を示すフロー図である。
ステップＴ１では、ネットワーク２１を介してのデータ処理装置２２との通信を確立する。通信の確立により、時刻が同期する。
ステップＴ２では、データ処理装置２２から通知された自己の地点データを記憶部３２に記憶する。
【０１４２】
ステップＴ３では、データ処理装置２２から無線送信が許可されるのを待ち、許可されたらステップＴ４へ進む。
この処理は、むやみに無線送信することを防止するための処理である。
【０１４３】
ステップＴ４では、スイッチ３８の設定（図６の実線か破線か）によりスタート通知を待つか否かを判定し、スタート通知を待つならステップＴ５へ進み、待たないならステップＴ７へ進む。
この処理は、スタート地点の時刻データ送信機３ｓでのみスタート通知を待つための処理である。
【０１４４】
ステップＴ５では、スタート通知器９からスタートが通知されるのを待ち、通知されたらステップＴ６へ進む。
ステップＴ６では、スタート時刻（スタート通知器９からスタートが通知された時刻）をデータ処理装置２２へ報告する。
この処理は、全競技者に対してスタートの合図がなされた時刻（競技スタート時刻）を報告するための処理である。そして、ステップＴ１０へ進む。
【０１４５】
ステップＴ７では、記憶部３２に記憶している地点データと時刻データ発生部３４で発生した時刻データを組み合わせて下りデータ３Ｄを作成する。
ステップＴ８では、送信部３５から下りデータ３Ｄを無線送信する。
【０１４６】
ステップＴ９では、データ処理装置２２から終了指令が通知されなかったらステップＴ７に戻り、終了指令が通知されたら処理を終了する。
この処理は、必要な時期に無線送信を繰り返し、不必要な時期には無線送信を停止するための処理である。
【０１４７】
ステップＴ１０では、記憶部３２に記憶している地点データとスタート時刻を組み合わせて下りデータ３Ｄを作成する。
【０１４８】
ステップＴ１１では、送信部３５から下りデータ３Ｄを無線送信する。
ステップＴ１２では、データ処理装置２２から終了指令が通知されなかったらステップＴ１１に戻り、終了指令が通知されたら処理を終了する。
【０１４９】
時刻データ送信機３ｓ，３ｍ，３ｇの処理以外は、実施例１〜３と同様である。但し、データ処理装置２２で求める競技時間は実時間に一致し、ゴール順位と時間順位も一致するので、両方を求める必要はない。
【実施例５】
【０１５０】
実施例１〜４では、１つの時計２３により各時刻データ送信機３ｓ，３ｍ，３ｇの時計（時刻データ発生部３４が含む時計）を同期させることを想定したが、各時刻データ送信機３ｓ，３ｍ，３ｇが時計を持たず、１つの時計２３を基に発生した時刻データを各時刻データ送信機３ｓ，３ｍ，３ｇに伝達するようにしてもよい。
【実施例６】
【０１５１】
実施例１〜４では、中間地点を１カ所としたが、２カ所以上に設けてもよい。
【産業上の利用可能性】
【０１５２】
本発明の移動体計時装置は、短距離／中距離／長距離競走，ロードサイクリング競技など、所定走路で多数の競技者が移動時間を競う競技において、各競技者ごとの正確な移動時間を計測するのに好適である。
【図面の簡単な説明】
【０１５３】
【図１】実施例１にかかる移動体計時装置を示す説明図である。
【図２】下りデータおよび上りデータの構成例示図である。
【図３】無線タグの外観を示す平面図である。
【図４】無線タグの構成を示すブロック図である。
【図５】無線タグの記憶データの例示図である。
【図６】時刻データ送信機の構成を示すブロック図である。
【図７】ＩＤデータ送受信・時刻データ受信機の構成を示すブロック図である。
【図８】実施例１にかかる無線タグの動作を示すフロー図である。
【図９】実施例１にかかる時刻データ送信機の動作を示すフロー図である。
【図１０】実施例１にかかるＩＤデータ送受信・時刻データ受信機の動作を示すフロー図である。
【図１１】実施例１にかかるデータ処理装置の動作を示すフロー図である。
【図１２】図１１の続きのフロー図である。
【図１３】実施例２にかかる移動体計時装置を示す説明図である。
【図１４】ＩＤデータ受信・時刻データ受信機の構成を示すブロック図である。
【図１５】実施例２にかかる無線タグの動作を示すフロー図である。
【図１６】実施例２にかかるＩＤデータ受信・時刻データ受信機の動作を示すフロー図である。
【図１７】実施例２にかかるデータ処理装置の動作を示すフロー図である。
【図１８】図１７の続きのフロー図である。
【図１９】実施例３にかかる移動体計時装置を示す説明図である。
【図２０】実施例３にかかる下りデータおよび上りデータの構成例示図である。
【図２１】ＩＤデータ受信・指令データ送信機の構成を示すブロック図である。
【図２２】実施例３にかかる無線タグの動作を示すフロー図である。
【図２３】実施例３にかかるＩＤデータ受信・指令データ送信機の動作を示すフロー図である。
【図２４】実施例３にかかるデータ処理装置の動作を示すフロー図である。
【図２５】図２４の続きのフロー図である。
【図２６】図２５の続きのフロー図である。
【図２７】実施例４にかかる時刻データ送信機の動作を示すフロー図である。
【符号の説明】
【０１５４】
１ａ，１ｂ                    無線タグ
２ａ，２ｂ                    競技者
３ｓ，３ｍ，３ｇ              時刻データ送信機
４ｓ，４ｍ，４ｇ              アンテナ
５ｍ，５ｇ                    ＩＤデータ送受信・時刻データ受信機
７ｓ，７ｍ，７ｇ              ＩＤデータ受信・指令データ送信機
９                            スタート通知器
２１                          ネットワーク
２２                          データ処理装置
２３                          時計
１００，２００，３００        移動体計時装置
【図１】
2005283337.tif 000003
【図２】
2005283337.tif 000004
【図３】
2005283337.tif 000005
【図４】
2005283337.tif 000006
【図５】
2005283337.tif 000007
【図６】
2005283337.tif 000008
【図７】
2005283337.tif 000009
【図８】
2005283337.tif 000010
【図９】
2005283337.tif 000011
【図１０】
2005283337.tif 000012
【図１１】
2005283337.tif 000013
【図１２】
2005283337.tif 000014
【図１３】
2005283337.tif 000015
【図１４】
2005283337.tif 000016
【図１５】
2005283337.tif 000017
【図１６】
2005283337.tif 000018
【図１７】
2005283337.tif 000019
【図１８】
2005283337.tif 000020
【図１９】
2005283337.tif 000021
【図２０】
2005283337.tif 000022
【図２１】
2005283337.tif 000023
【図２２】
2005283337.tif 000024
【図２３】
2005283337.tif 000025
【図２４】
2005283337.tif 000026
【図２５】
2005283337.tif 000027
【図２６】
2005283337.tif 000028
【図２７】
2005283337.tif 000029